(57)【要約】【課題】構成がシンプルで、可動部が比較的少なく、製造・組立が容易で、且つ故障が少ない扉のロック機構の提供。【解決手段】扉（５０）のヒンジとは反対側縁部の垂直方向全域に亘って形成された把手（１）が上下両端の少なくとも一方にスリーブ状収容部（１１）を備えており、そのスリーブ状収容部（１１）には把手（１）の回転軸となり扉（５０）の上下両端の少なくとも一方に固着されたロックピン収納部材（２）を収容しており、該ロックピン収納部材（２）は、弾性手段（４）により上方又は下方へ付勢され且つ垂直方向へ移動可能に構成されたロックピン（３）を収納しており、把手（１）の回動をロックピン（３）の下方又は上方の移動に変換する変換機構が設けられている。【選択図】図１
2006070637.tif 000002
【特許請求の範囲】
【請求項１】
扉に設けられた把手と、該把手の上下両端部の少なくとも一方に設けられたスリーブ状収容部と、回転運動を上下方向直線運動に変換する運動変換機構と、把手の上方及び／又は下方の部材と係合可能なロック部材とを備え、前記把手は前記運動変換機構に対して回転運動を伝達する様に構成され、前記ロック部材は前記運動変換機構により上下方向に直線移動する様に構成されていることを特徴とする扉のロック機構。
【請求項２】
前記スリーブ状収容部は把手の回転軸であり、前記前記運動変換機構は、前記スリーブ状収容部の上下両端の少なくとも一方に固着されたロックピン収納部材と、前記スリーブ状収容部に形成された螺旋状の第１の溝部と、ロックピン収納部材に形成され鉛直方向に延在する第２の溝部と、前記ロックピンから水平方向へ突出している突起部分とを含み、ロックピンから水平方向へ突出している突起部分は、前記スリーブ状収容部に形成された螺旋状の第１の溝部及びロックピン収納部材に形成され鉛直方向に延在する第２の溝部を貫通しており、前記ロックピンの上下何れか一方の端部にはロック部材が設けられ、前記ロックピン収納部材には弾性手段が収容され、該弾性部材は前記ロック部材が把手の上方及び／又は下方の部材と係合する方向へ前記ロックピンを付勢している請求項１の扉のロック機構。
【請求項３】
把手が回動すると前記第１の溝部が回動し、ロックピンの突起部分は前記第２の溝部により回転方向の移動が規制され且つ前記第１の溝部に沿って移動し、前記ロック部材が鉛直方向へ移動して、把手の上方及び／又は下方の部材との係合を解除する様に構成されている請求項１、２の何れかの扉のロック機構。
【請求項４】
把手の回動が解除された場合に、前記弾性手段の反撥力により、前記ロック部材が、把手の上方及び／又は下方の部材に挿入されて嵌合する様に構成されている請求項１〜３の何れか１項の扉のロック機構。
【発明の詳細な説明】
【技術分野】
【０００１】
本発明は、収納庫やロッカー等の扉において、扉を閉鎖した際の扉のロック機構に関する。より詳細には、本発明は、開閉操作用の把手が扉の上縁部から下縁部まで延在しているタイプの収納庫に好適に適用できるロック機構に関する。
【背景技術】
【０００２】
近年、扉の把手が、扉の上縁部から下縁部まで延在しており、その把手のどの部分を掴んでも、或いは引いても、扉の開閉操作を行うことが出来るタイプの収納庫が提供されている。
その様なタイプの収納庫においては、把手の構成の相違に起因して、従来の収納庫とは異なる構成のロック機構が採用されている。
【０００３】
把手が扉の上縁部から下縁部まで延在しているタイプの収納庫のロック機構として、例えば、把手の回転中心となる垂直方向のシャフト及びラッチの回転中心となる垂直方向シャフト（２本の垂直シャフト）と、係る２本の垂直方向シャフト間で回転を伝達する回転伝達機構とを有しており、そして把手を引いた際にとって側の垂直方向シャフトに生じる回転を、複雑な構成を有する回転伝達機構によりラッチ側の垂直方向シャフトへ伝達するものが提案されている（例えば、特許文献１参照）。
【０００４】
しかし、上記技術は構成、特に回転伝達機構の構成が複雑であり、製造及び組立てに多大な労力やコストが必要となるという問題を具備している。それと共に、回転伝達機構には、関節部分、可動箇所が多く、故障する可能性も高い、という問題も有している。
【０００５】
かかる問題点に対して、簡単な機構で確実に扉を開閉及びロックする技術が望まれている。
しかし、その様な要望に応えることが出来るロック機構は、未だに提案されていない。
【特許文献１】特開２００４−９２０２２号公報
【発明の開示】
【発明が解決しようとする課題】
【０００６】
本発明は上述した従来技術の問題点に鑑みて提案されたものであり、構成がシンプルで、可動部が比較的少なく、製造・組立が容易な扉のロック機構の提供を目的としている。
【課題を解決するための手段】
【０００７】
発明者は、種々研究・開発の結果、螺旋構造（ねじ山と類似の構造）を応用した回転−直線運動変換機構を用いれば、把手を操作する（掴んで、或いは、引いて）ことによる回転運動（回動：例えば、４５°〜９０°程度）を、当該シャフト状部材或いはスリーブ状部材の延長線上にある扉ロック用（閉鎖用）ピンの上下方向移動に変換できることを見出した。
【０００８】
本発明の扉のロック機構は係る知見に基づいて創作されたものであり、扉（５０）に設けられた把手（１）と、該把手（１）の上下両端部の少なくとも一方に設けられたスリーブ状収容部（１１）と、回転運動を上下方向直線運動に変換する運動変換機構（ガイドピン４、第１の溝１３、第２の溝２５等）と、把手（１）の上方及び／又は下方の部材（例えば、ロッカー６０の天框６２の底板６３に形成された係合孔６５）と係合可能なロック部材（ロックピン３の先端部３２）とを備え、前記把手（１）は前記運動変換機構に対して回転運動を伝達する様に構成され、前記ロック部材は前記運動変換機構により上下方向に直線移動する様に構成されている（請求項１）。
【０００９】
ここで、前記把手（１）は、扉（５０）のヒンジ（Ｈ）の反対側縁部の垂直方向全域に亘って形成されているのが好ましい。
但し、前記把手（１）は、扉（５０）の右縁部から左縁部に亘って水平方向に延在するタイプであっても良いし、或いは、扉（５０）のヒンジ（Ｈ）の反対側縁部に扉（５０）の上縁部から下縁部の間の一部領域に設けられているタイプであっても良い。
【００１０】
本発明において、前記スリーブ状収容部（１１）は把手（１）の回転軸であり、前記前記運動変換機構は、前記スリーブ状収容部（１１）の上下両端の少なくとも一方に固着されたロックピン収納部材（２）と、前記スリーブ状収容部（１１）に形成された螺旋状の第１の溝部（第１のガイド溝１３）と、ロックピン収納部材（２）に形成され鉛直方向に延在する第２の溝部（第２のガイド溝２５）と、前記ロックピン（３）から水平方向へ突出している突起部分（ガイドピン４）とを含み、ロックピン（３）から水平方向へ突出している突起部分（ガイドピン４）は、前記スリーブ状収容部（１１）に形成された螺旋状の第１の溝部（第１のガイド溝１３）及びロックピン収納部材（２）に形成され鉛直方向に延在する第２の溝部（第２のガイド溝２５）を貫通しており、前記ロックピン（３）の上下何れか一方の端部にはロック部材（先端部３２）が設けられ、前記ロックピン収納部材（２）には弾性手段（４）が収容され、該弾性部材（４）は前記ロック部材（ロックピン３の先端部３２）が把手（１）の上方及び／又は下方の部材（例えば、ロッカー６０の天框６２の底板６３に形成された係合孔６５）と係合する方向へ前記ロックピン（３）を付勢しているのが好ましい（請求項２）。
【００１１】
本発明において、把手（１）が回動すると前記第１の溝部（第１のガイド溝１３）が回動し、ロックピン（３）の突起部分（ガイドピン４）は第２の溝部（第２のガイド溝２５）により回転方向の移動が規制され且つ第１の溝部（第１のガイド溝１３）に沿って移動し、ロック部材（ロックピン３の先端部３２）が鉛直方向へ移動して、把手（１）の上方及び／又は下方の部材（ロッカー６０の係合孔６５）との係合を解除する様に構成されているのが好ましい（請求項３）。
【００１２】
本発明において、把手（１）の回動が解除された場合に、前記弾性手段（４）の反撥力により、前記ロック部材（ロックピン３の先端部３２）が、把手（１）の上方及び／又は下方の部材（例えば、ロッカー６０の天框６２の底板６３に形成された係合孔６５）に挿入されて嵌合する様に構成されているのが好ましい（請求項４）。
【発明の効果】
【００１３】
上述した本発明の、扉（５０）のロック機構によれば、把手（１）の回動をロックピン（３）の下方又は上方の移動に変換する運動変換機構（ガイドピン４、第１の溝１３、第２の溝２５等）が設けられている（請求項１）。この運動変換機構の作用により、把手（１）を掴んで回動すれば、その回動が、ロックピン（３）（に設けたロック部材３２）と把手（１）の上方及び／又は下方の部材（例えば、ロッカー６０の天框６２の底板６３に形成された係合孔６５）との係合状態を解除する動作に変換される。
そのため、本発明によれば、把手（１）を掴んで回動すれば、扉（５０）が収納庫（ロッカー６０）にロックされた状態を解除することが出来る。
【００１４】
より詳細には、その運動変換機構（ガイドピン４、第１の溝１３、第２の溝２５等）は、スリーブ状収容部（１１）に形成された螺旋状の第１の溝部（第１のガイド溝１３）と、ロックピン収納部材（２）に形成され鉛直方向に延在する第２の溝部（第２のガイド溝２５）と、ロックピン（３）に形成され水平方向へ延在する突起部分（ガイドピン４）とを含み、前記突起部分（ガイドピン４）は前記第１の溝部（１３）及び第２の溝部（２５）内に挿入されているので（請求項２）、把手を操作して（例えば、把手１を掴んで引いて）把手（１）の回転軸（スリーブ状収容部１１）を回転させた場合に、当該回転（４５°〜９０°程度の回動）は、ロックピン（３）に形成され水平方向へ延在する突起部分（ガイドピン４）が、鉛直方向に延在する第２の溝部（第２のガイド溝２５）により回転方向（円周方向）の移動が制限されつつ、第１の溝部（第１のガイド溝１３）を摺動することにより、鉛直方向の移動に変換される。
【００１５】
その結果、把手（１）の回転軸（スリーブ状収容部１１）の延長線上にあるロック部材（ロックピン３の先端部３２：把手１を操作しない場合に扉５０の上縁部或いは下縁部から５ｍｍ程度突出している）を引き込み、ロックピン（３）に設けたロック部材３２と把手（１）の上方及び／又は下方の部材（例えば、ロッカー６０の天框６２の底板６３に形成された係合孔６５）との係合状態を解除して、扉（５０）が収納庫（ロッカー６０）にロックされた状態を解除することが出来る。
【００１６】
一方、扉（５０）を閉めてロックさせる際には、前記変換機構に設けられた弾性体（たとえばスプリング５）の弾性反発力により、ロックピン（３）が扉（５０）から突出して収納庫（ロッカー６０）の係合孔（ロッカー６０の天框６２における底板６３に形成された係合孔６５）に挿入されて、ロック状態となる。
その際に、弾性体（スプリング５）の弾性反発力は、螺旋状の第１の溝部（１３）及び把手（１）の回転軸（スリーブ状収容部１１）により、把手（１）における扉開放時における回転方向とは逆の方向への回転に変換され、把手（１）を、扉（５０）閉鎖時の状態（ロック状態）に保持するのである。
【００１７】
そして、本発明のロック機構は構成部品点数が比較的少なく、且つ構造が単純であるため、製造及び組立が容易である。
そして、構造及び作動原理が単純であるので、故障が少ない。
なお、本実施形態の扉のロック機構は、回転式扉のみならず、引き戸を始めとして、いわゆる「ラッチ」を有する扉の全てに適用出来る。
【発明を実施するための最良の形態】
【００１８】
以下、添付図面を参照して、本発明の実施形態について説明する。
図示の実施形態において、収納庫は例えばロッカーであり、ロッカーの扉をロックし、ロック解除する機構を例にして、説明する。
【００１９】
先ず、本発明のロック機構の理解を容易にするために、本発明が適用される収納庫（ロッカー）について、図１３、図１４を参照して説明する。
図１３において、全体を符号６０で示すロッカーは、ヒンジＨにより回動自在に取り付けられた扉５０を有している。
【００２０】
扉５０のヒンジＨの反対側縁部、図１３において左方向縁部には、扉５０の上縁部から下縁部まで延在した把手１が設けられている。そして、詳細を後述するように、扉５０の上縁部から下縁部まで延在している把手１のどの部分を掴んでも、扉５０の開閉操作が行われる様に構成されている。
より詳細に述べると、把手１とロッカー６０の天框６２との境界部分Ｒ１と、把手１とロッカー６０の底框６４との境界部分Ｒ２に、図１〜図１２を参照して詳述するロック機構が設けられている。
【００２１】
なお、図１４は、図１３で示すロッカー６０の端面を示しているが、把手１のみは断面形状（Ａ１４−Ａ１４矢視断面の形状）を示している。
【００２２】
次に、図１〜図１２を参照して、扉の開閉について説明する。
図１〜図３は、扉が閉められ、ロックされた状態の扉におけるロック機構の拡大断面を、また図４〜図７は各構成の単一部品を示している。
図１は、扉５０の把手１のある側の上方コーナー部の縦断面図（図８も参照）を示し、図２は図１のＸ−Ｘ段面図、図３は図２のＹ−Ｙ段面図を示している。
なお、図示の実施形態では、扉５０は上下対称に構成されており、扉５０の上下２箇所に同様のロック機構を有している。
【００２３】
図１〜図３において、把手１の上下の端部には、ロックピン収納部材２を収容するスリーブ状収容部１１が設けられている。
図示の実施形態においては、把手１の上端におけるロック機構について説明する。すなわち、図１〜図１２において、把手１の上端部側のみを示している。
【００２４】
図２において、把手１（の上端）では、スリーブ状収容部１１が把手１に嵌合した状態で示されているが、例えば、把手１の断面形状を正方形にして、円環状のスリーブ状収容部１１が断面正方形の把手１に内接する様に構成しても良い。
図２で示す場合も、上述する場合（円環状のスリーブ状収容部１１が断面正方形の把手１に内接して構成される場合）も、把手１及びスリーブ状収容部１１（例えば、アルミニウム製）は、何れも、押出成形（アルミニウム押出成形）により製造可能である。
【００２５】
スリーブ状収容部１１には、円筒状のロックピン収納部材２が収容されている。詳細は後述するが、スリーブ状収容部１１とロックピン収納部材２とは、相対的に回動可能である。
またスリーブ状収容部１１には、図４（図２のＡ矢視図）に示すように、螺旋状の第１の溝部（以降、螺旋状の第１の溝部を第１のガイド溝という）１３が形成されており、第１のガイド溝１３は、収容部１１内部と外部とを貫通している。
【００２６】
前記ロックピン収納部材２には、図５に詳細を示すように、下端が開放された円形断面の空間部であるロックピン収納室２１が形成され、その開放された収納室２１下端の内径部には雌ねじ２２が形成されている。
ロックピン収納部材２の上端面の中心には後述するロックピン３（図６参照）の先端部３２（ロック部材）が貫通するピン貫通孔２３が形成され、ロックピン収納部材２の上端部近傍の外周には雄ネジ２４が形成されている。
【００２７】
図１で示されているように、ロックピン収容部材２の上端部外周に形成された雄ネジ２４は、天井板７０の取付代部７２に形成された雌ネジ２５と螺合しており、ロックピン収容部材２の上端部外周で雄ネジ２４が形成されている部分の外径は、それよりも下方の部分（ロックピン収容部材２の雄ネジ２４が形成されていない部分）よりも小径に形成されているので、ロックピン収容部材２の雄ネジ２４が形成されていない部分の上端部と雄ネジ２４が形成されている部分との境界は段部となっており、当該段部が取付代部７２と当接してストッパとして作用する。
ロックピン収納部材２は、ビス７４により、扉本体５０上端の天井板７０に取り付けられており、当該ビス７４により、ロックピン収納部材２は回り止めが為されて、固定される。
また、天井板７０の取付代部７２の下面と、把手１上端のスリーブ状収容部１１の上端との間には、スリーブ状収容部１１の回転運動を円滑にするため、スラストワッシャ７が介装されている。
【００２８】
図５において、ロックピン収納室２１には長孔形状の第２のガイド溝２５が形成され、第２のガイド溝２５はロックピン収納部材２の長手方向（図５における鉛直方向）に延在しており、ロックピン収納室２１と外部とを貫通している。
【００２９】
図１、図３で示す様に、ロックピン収納部材２は、ビス７４により天井板７０に固定されており、且つ、ロックピン収容部材２の上端部外周に形成された雄ネジ２４が天井板７０の取付代部７２に形成された雌ネジ２５と螺合しているので、スリーブ状収容部１１が回動しても、（扉本体５０の）天井板７０に固着されたロックピン収納部材２は回動しない。換言すれば、把手１の回動時には、把手１と同時に回動するスリーブ状収容部１１と、（扉本体５０に固着された）ロックピン収納部材２との間で、相対的な回転運動（回動）が行われることになる。
【００３０】
ロックピン３は、図６で示すように、前記ロックピン収納部材２のロックピン収納室２１をガタ無く、しかも円滑に摺動する円柱部３１と、その円柱部３１より径が細く先端が半球状の先端部３２と、円柱部３１に対して、先端部３２と反対側に位置している円形突出部３３、とから構成されている。
【００３１】
円柱部３１の外周には、ロックピン２の中心軸方向（図６の上下方向）と直交する方向にガイドピン４が突設されている。そして、ガイドピン４は、図示しないねじにより、円柱部３１へ植込まれている。
【００３２】
また、図１及び図３で示す様に、ロックピン収納部材２内には付勢用コイルスプリング５が収容されており、ロックピン収納部材２の下端部にはプラグ６（図７参照）が螺合している。
【００３３】
次に、主として図１を参照して、ロックピン３をロックピン収納部材２へ組み付ける態様について説明する。
先ず、ガイドピン４を捩じ込む以前の状態のロックピン３（図示せず）を、単体で、ロックピン収納部材２のロックピン収納室２１に挿入する。
そして、付勢用コイルスプリング５をロックピン収納室２１内に挿入し、プラグ６をロックピン収納部材２下端に取り付ける。
【００３４】
ここで、図７で示す様に、プラグ６は外周部に雄ねじ６１を有しており、プラグ６をロックピン収納部材２下端に取り付けるに際しては、プラグ６の雄ネジ６１を、ロックピン収納部材２下端の内径部に形成された雌ねじ２２に螺合させれば良い。
【００３５】
図４で示す状態、すなわちロックピン収納部材２内（のロックピン収納室２１内）にロックピン３および付勢用コイルスプリング５を組み込んだ状態において、把手１上端のスリーブ状収容部１１に形成された螺旋状の第１のガイド溝１３の上端部１３ａと、ロックピン収納部材２の鉛直方向に形成された第２のガイド溝２５の上端２５ａとは概略同じ高さである。換言すれば、図４において、上下方向位置が概略同じとなる。そして、第１のガイド溝１３の下端部１３ｂと、ロックピン収納部材２に形成された第２のガイド溝２５の下端２５ｂとは、概略同じ高さである（図４において、上下方向位置が概略同じとなる）。
【００３６】
図４で示す様に、第１のガイド溝１３の上下端部１３ａ、１３ｂと、第２のガイド溝２５の上下端部２５ａ、２５ｂとが概略同じ高さである状態において、第１のガイド溝１３と、第２のガイド溝２５の双方を貫通するようにして、ガイドピン４をロックピン３の円柱部３１に捩じ込んで、ガイドピン４をロックピン３（の円柱部３１）に突設せしめる。
これにより、ロックピン収納部材２と、ロックピン３との組立が完了するのである。
【００３７】
図１〜図４及び図８は、ロック状態、すなわち把手１を引かない（把手を操作しない）状態を示している。この時、第１のガイド溝１３と、第２のガイド溝２５との相対位置関係は図４で実線によって示される。
【００３８】
ロック状態（図１〜図４及び図８）において、コイルスプリング５（図１及び図３参照：図４では図示せず）の反発力によって、ロックピン３は上方に押し上げられ（図１及び図３参照）、ロックピン３の先端部３２がロックピン収納部材２の上方に突出し、天框６２の底板６３に形成された係合孔（受容部）６５に挿入、係合する。
ロックピン３の先端部３２が、天框６２（の底板６３）の係合孔（受容部）６５に挿入、係合することにより、扉５０はロック状態を維持する。
なお、図１及び図３において、底板６３及び係合孔６５は２点鎖線で示されている。
【００３９】
ここで、コイルスプリング５の反発力は、ロックピン３及びガイドピン４を介して螺旋状の第１のガイド溝１３へ伝達され、螺旋状のガイド溝１３によって回転方向の力に変換される。係る回転方向の力は、スリーブ状収容部１１を介して、把手１に伝達される。すなわち、把手１もコイルスプリング５の反力を受ける。
そして、扉５０がロック状態を維持している場合において、把手１にはコイルスプリング５の反発力（が変換された回転方向の力）が伝達されるので、図２に示すように、把手１の把手部１２は、扉５０の前面５０ｔと面一となる様な位置へ（図２の矢印Ｂとは逆方向へ）常に付勢される。
【００４０】
次に、図９〜図１２を参照して、把手１を引いて扉５０の開放操作を行う場合について説明する。
扉５０を開放するに際しては、図２、図１０、図１２に示すように、把手１を引くことにより、矢印Ｂ方向に回転させる。
【００４１】
係る回転力（把手１を矢印Ｂ方向に回転させる力）はスリーブ状収容部１１に伝達され、スリーブ状収容部１１に形成した螺旋状の第１のガイド溝１３は、前述の図４において矢印Ｃの方向に回転する。そして、ガイドピン４は、扉５０に固定されたロックピン収納部材２及び鉛直の第２のガイド溝２５によって回転方向（円周方向）へ移動してしまうことを抑止されつつ、螺旋状の第１のガイド溝１３と摺動して移動することにより、図４において矢印Ｄ方向へ下降する。
把手１が最大に回転した状態が図９〜図１１に示してある。
【００４２】
ガイドピン４が図４の矢印Ｄ方向へ下降する結果、図１１に示すように、ガイドピン４は、螺旋状の第１のガイド溝１３及び鉛直の第２のガイド溝２５の最下点１３ｂ、２５ｂまで移動する。
そして、ガイドピン４が第１のガイド溝１３及び第２のガイド溝２５の最下点１３ｂ、２５ｂまで移動する結果として、ロックピン３も最下点まで下降する。
ロックピン３が下方に移動すれば、先端部３２が天框６２の係合孔６５から引き出され、以って、扉５０のロック状態が解除される。
【００４３】
扉５０のロック状態が解除されたならば、把手１をそのまま手前に引っ張れば、ロッカー６０の扉５０は開放される。
【００４４】
図示の実施形態はあくまでも例示であり、本発明の技術的範囲を限定する趣旨の記述ではない旨を付記する。
例えば、図示の実施形態に係るロッカー６０の把手１は、扉５０のヒンジＨの反対側縁部に、扉５０の上縁部から下縁部に亘って延在して設けられているが、当該把手は、扉５０の右縁部から左縁部に亘って水平方向に延在するタイプであっても良いし、或いは、扉５０のヒンジＨの反対側縁部に扉５０の上縁部から下縁部の間の一部領域に設けられているタイプであっても良い。
【図面の簡単な説明】
【００４５】
【図１】本発明の実施形態の要部構成を説明する縦断面図であって、ロック状態を示す図。
【図２】図１のＸ−Ｘ断面図。
【図３】図２のＹ−Ｙ断面図。
【図４】図２のＡ矢視図。
【図５】ロックピン収納部材の縦断面図。
【図６】ロックピンの斜視図。
【図７】プラグの斜視図。
【図８】扉のロック状態を示す斜視図。
【図９】本発明の実施形態の縦断面図であって、ロック解除の状態を示す図。
【図１０】図９のＸ−Ｘ断面図。
【図１１】図１０のＹ−Ｙ断面図。
【図１２】扉の開放時で把手を操作中の要部を示す斜視図。
【図１３】本発明が適用されるロッカーの正面図。
【図１４】図１３のＡ１４−Ａ１４端面図であって、把手の断面形状を示す図。
【符号の説明】
【００４６】
１・・・把手
２・・・ロックピン収容部材
３・・・ロックピン
４・・・突起部分／ガイドピン
５・・・付勢手段／コイルスプリング
６・・・プラグ
７・・・スラストワッシャ
１１・・・スリーブ状収容部
１２・・・把手部
１３・・・第１の溝部／第１のガイド溝
２１・・・ロックピン収容室
２３・・・ピン貫通孔
２４・・・拡径縁部
２５・・・第２の溝部／第２のガイド溝
３１・・・円柱部
３２・・・先端部
５０・・・扉／扉本体
６０・・・ロッカー／収納庫
６２・・・天框
６３・・・（天框の）底板
６５・・・受容部／係合孔
７０・・・（扉の）天井板
７２・・・（扉の天井板における）取付代部
７４・・・ビス
【図１】
2006070637.tif 000003
【図２】
2006070637.tif 000004
【図３】
2006070637.tif 000005
【図４】
2006070637.tif 000006
【図５】
2006070637.tif 000007
【図６】
2006070637.tif 000008
【図７】
2006070637.tif 000009
【図８】
2006070637.tif 000010
【図９】
2006070637.tif 000011
【図１０】
2006070637.tif 000012
【図１１】
2006070637.tif 000013
【図１２】
2006070637.tif 000014
【図１３】
2006070637.tif 000015
【図１４】
2006070637.tif 000016